(57)【要約】  物理アップリンク共有チャネル（ＰＵＳＣＨ）送信電力を決定するための方法は、基準信号の受信電力を測定し、基準信号の受信電力を次世代ノードＢ（ｇＮＢ）からのダウンリンク送信電力と比較することにより、ダウンリンクパス損失を計算し、前記ｇＮＢからパラメータを取得し、および構成されたユーザ機器（ＵＥ）送信電力、ＰＵＳＣＨリソース割り当ての帯域幅、セル固有の公称成分とＵＥ固有の成分の合計を含むターゲット電力、スケーリング係数、ダウンリンク（ＤＬ）パス損失、異なるタイプのトラフィックのＵＥ固有のパラメータおよびＰＵＳＣＨ電力制御調整状態に基づいて、ＰＵＳＣＨ送信電力を決定する。前記方法は、構成されたサブキャリア間隔とデフォルトのサブキャリア間隔に基づいてｎｕｍｅｒｏｌｏｇｙ調整係数を計算し、および当該ｎｕｍｅｒｏｌｏｇｙ調整係数を利用してＰＵＳＣＨ送信電力を決定する。
2020519187.tif 000002
【特許請求の範囲】
【請求項１】
物理アップリンク共有チャネル（ＰＵＳＣＨ）送信電力を決定するための方法であって、前記方法は、ユーザ機器（ＵＥ）によって実施可能であり、前記方法では、
基準信号の受信電力を測定し、
基準信号の受信電力を次世代ノードＢ（ｇＮＢ）からのダウンリンク送信電力と比較することにより、ダウンリンクパス損失を計算し、
前記ｇＮＢからパラメータを取得し、および
以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ,c(i, j) を決定し、
【数１】
2020519187.tif 000039
ここで、ＰＣＭＡＸ,ｃ(ｉ)は、前記ＰＵＳＣＨ送信周期iの前記サービングセルcのために構成されたＵＥ送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃはダウンリンク（ＤＬ）パス損失であり、ΔＴＦ, ｃ(ｉ)は異なるタイプのトラフィックのＵＥ固有のパラメータであり、およびfｃ(ｉ)は前記ＰＵＳＣＨ送信周期iのＰＵＳＣＨ電力制御調整状態であることを特徴とする物理アップリンク共有チャネル（ＰＵＳＣＨ）送信電力を決定するための方法。
【請求項２】
ｎｕｍｅｒｏｌｏｇｙ調整係数δscsを次のように計算し、
【数２】
2020519187.tif 000040
ここで、ＳＣＳconf は、前記ＰＵＳＣＨ送信のため構成されたサブキャリア間隔であり、ＳＣＳdefault はデフォルトのサブキャリア間隔であり、および
前記ｎｕｍｅｒｏｌｏｇｙ調整係数δscsを追加のパラメータとして利用して、次のように前記ＰＵＳＣＨ送信電力を決定することを特徴とする請求項１に記載の物理アップリンク共有チャネル（ＰＵＳＣＨ）送信電力を決定するための方法。
【数３】
2020519187.tif 000041
【請求項３】
前記ＰＵＳＣＨ送信の信頼性要件を決定し、および
前記信頼性要件に基づいて、前記ターゲット電力ＰＯ＿ＰＵＳＣＨ, ｃ(ｊ)内のＵＥ固有の成分ＰＯ＿ＵＥ_ＰＵＳＣＨ, ｃ(ｊ)の値を設定することを特徴とする請求項１に記載の物理アップリンク共有チャネル（ＰＵＳＣＨ）送信電力を決定するための方法。
【請求項４】
要件は、超高信頼性低遅延通信（ＵＲＬＬＣ）および拡張移動帯域幅（ｅＭＢＢ）のうちの少なくとも１つを含むことを特徴とする請求項３に記載の物理アップリンク共有チャネル（ＰＵＳＣＨ）送信電力を決定するための方法。
【請求項５】
前記ＰＵＳＣＨ送信のＵＬ多元接続方式を決定し、および
前記ＵＬ多元接続方式に基づいて、前記ターゲット電力ＰＯ＿ＰＵＳＣＨ, ｃ(ｊ)の前記公称成分ＰＯ＿ＮＯＭＩＮＡＬ_ＰＵＳＣＨ, ｃ(ｊ)の値を設定することを特徴とする請求項１に記載の物理アップリンク共有チャネル（ＰＵＳＣＨ）送信電力を決定するための方法。
【請求項６】
前記多元接続方式は、スケジュールに基づいた直交多元接続（ＳＢ−ＯＭＡ）、非直交多元接続（ＮＯＭＡ）およびグラントフリー多元接続（ＧＲＭＡ）のうちの少なくとも１つを含むことを特徴とする請求項５に記載の物理アップリンク共有チャネル（ＰＵＳＣＨ）送信電力を決定するための方法。
【請求項７】
ピーク対平均電力比（ＰＡＰＲ）を測定し、
測定された前記ＰＡＰＲすなわちＰＡＰＲｍｅａｓｕｒｅｄ、および離散フーリエ変換拡散直交周波数分割多重（ＤＦＴ−Ｓ−ＯＦＤＭ）の平均ＰＡＰＲ（すなわちＡｖｇ.ＰＡＰＲＤＦＴ−Ｓ−ＯＦＤＭ）に基づいて、次のようにバックオフ係数を計算し、および
【数４】
2020519187.tif 000042
前記バックオフ係数ΔＢ(j)を追加のパラメータとして利用して、前記送信電力を次のように決定することを特徴とする請求項１に記載の物理アップリンク共有チャネル（ＰＵＳＣＨ）送信電力を決定するための方法。
【数５】
2020519187.tif 000043
【請求項８】
マルチビーム構成内の複数の検出されたビームのうちの１つのビームｍの個々のダウンリンク（ＤＬ）パス損失ＰＬｃ,ｍを取得し、ここで、
【数６】
2020519187.tif 000044
およびＭは前記複数の検出されたビームの数であり、および
前記ＤＬパス損失ＰＬｃを次のように計算し、
【数７】
2020519187.tif 000045
ここで、ＰＬｃ,Rは基準パス損失であり、
【数８】
2020519187.tif 000046
ここで、βは上位層により構成されたビーム間の相関係数であり、かつ
【数９】
2020519187.tif 000047
であることを特徴とする請求項１に記載の物理アップリンク共有チャネル（ＰＵＳＣＨ）送信電力を決定するための方法。
【請求項９】
マルチビーム構成内の複数の検出されたビームのうちの１つのビームｍの個々のダウンリンク（ＤＬ）パス損失ＰＬｃ,ｍを取得し、ここで、
【数１０】
2020519187.tif 000048
であり、およびＭは前記複数の検出されたビームの数であり、および
複数のパス損失の共同受信の最適化に基づいて、前記ＤＬパス損失ＰＬｃを計算することを特徴とする請求項１に記載の物理アップリンク共有チャネル（ＰＵＳＣＨ）送信電力を決定するための方法。
【請求項１０】
前記ＤＬパス損失ＰＬｃは、すべての個々のＤＬパス損失の最小値
【数１１】
2020519187.tif 000049
として計算されることを特徴とする請求項９に記載の物理アップリンク共有チャネル（ＰＵＳＣＨ）送信電力を決定するための方法。
【請求項１１】
前記ＤＬパス損失ＰＬｃは、すべての個々のＤＬパス損失の最大値
【数１２】
2020519187.tif 000050
として計算されることを特徴とする請求項９に記載の物理アップリンク共有チャネル（ＰＵＳＣＨ）送信電力を決定するための方法。
【請求項１２】
前記ＤＬパス損失ＰＬｃは、すべての個々のＤＬパス損失的重み付き組み合わせ
【数１３】
2020519187.tif 000051
として計算されることを特徴とする請求項９に記載の物理アップリンク共有チャネル（ＰＵＳＣＨ）送信電力を決定するための方法。
【請求項１３】
１つまたは複数のプロセッサと、
命令を保存するメモリと、を備え、
前記命令は、前記１つまたは複数のプロセッサによって実行されると、ユーザ機器に以下のように実行させ、
基準信号の受信電力を測定し、
基準信号の受信電力を次世代ノードＢ（ｇＮＢ）からのダウンリンク送信電力と比較することにより、ダウンリンクパス損失を計算し、
前記ｇＮＢからパラメータを取得し、および
以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ,c(i, j) を決定し、
【数１４】
2020519187.tif 000052
ここで、ＰＣＭＡＸ,ｃ(ｉ)は、前記ＰＵＳＣＨ送信周期iの前記サービングセルcのために構成されたＵＥ送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃはダウンリンク（ＤＬ）パス損失であり、ΔＴＦ, ｃ(ｉ)は異なるタイプのトラフィックのＵＥ固有のパラメータであり、およびf(i)は前記ＰＵＳＣＨ送信周期iのＰＵＳＣＨ電力制御調整状態であることを特徴とする物理アップリンク共有チャネル（ＰＵＳＣＨ）送信電力を決定するためのユーザ機器（ＵＥ）。
【請求項１４】
前記命令は、前記１つまたは複数のプロセッサによって実行されると、ユーザ機器に以下のように実行させ、
ｎｕｍｅｒｏｌｏｇｙ調整係数δscsを次のように計算し、
【数１５】
2020519187.tif 000053
ここで、ＳＣＳconf は、前記ＰＵＳＣＨ送信のため構成されたサブキャリア間隔であり、ＳＣＳdefault はデフォルトのサブキャリア間隔であり、および
前記ｎｕｍｅｒｏｌｏｇｙ調整係数δscsを追加のパラメータとして利用して、次のように前記ＰＵＳＣＨ送信電力を決定することを特徴とする請求項１３に記載の物理アップリンク共有チャネル（ＰＵＳＣＨ）送信電力を決定するためのユーザ機器（ＵＥ）。
【数１６】
2020519187.tif 000054
【請求項１５】
前記命令は、前記１つまたは複数のプロセッサによって実行されると、ユーザ機器に以下のように実行させ、
前記ＰＵＳＣＨ送信の信頼性要件を決定し、および
前記信頼性要件に基づいて、前記ターゲット電力ＰＯ＿ＰＵＳＣＨ, ｃ(ｊ)内のＵＥ固有の成分ＰＯ＿ＵＥ_ＰＵＳＣＨ, ｃ(ｊ)の値を設定することを特徴とする請求項１３に記載の物理アップリンク共有チャネル（ＰＵＳＣＨ）送信電力を決定するためのユーザ機器（ＵＥ）。
【請求項１６】
前記命令は、前記１つまたは複数のプロセッサによって実行されると、ユーザ機器に以下のように実行させ、
前記ＰＵＳＣＨ送信のＵＬ多元接続方式を決定し、および
前記ＵＬ多元接続方式に基づいて、前記ターゲット電力ＰＯ＿ＰＵＳＣＨ, ｃ(ｊ)の前記公称成分ＰＯ＿ＮＯＭＩＮＡＬ_ＰＵＳＣＨ, ｃ(ｊ)の値を設定することを特徴とする請求項１３に記載の物理アップリンク共有チャネル（ＰＵＳＣＨ）送信電力を決定するためのユーザ機器（ＵＥ）。
【請求項１７】
前記命令は、前記１つまたは複数のプロセッサによって実行されると、ユーザ機器に以下のように実行させ、
ピーク対平均電力比（ＰＡＰＲ）を測定し、
測定された前記ＰＡＰＲすなわちＰＡＰＲｍｅａｓｕｒｅｄ、および離散フーリエ変換拡散直交周波数分割多重（ＤＦＴ−Ｓ−ＯＦＤＭ）の平均ＰＡＰＲ（すなわちＡｖｇ.ＰＡＰＲＤＦＴ−Ｓ−ＯＦＤＭ）に基づいて、次のようにバックオフ係数を計算し、および
【数１７】
2020519187.tif 000055
前記バックオフ係数ΔＢ(j)を追加のパラメータとして利用して、前記送信電力を次のように決定することを特徴とする請求項１３に記載の物理アップリンク共有チャネル（ＰＵＳＣＨ）送信電力を決定するためのユーザ機器（ＵＥ）。
【数１８】
2020519187.tif 000056
【請求項１８】
前記命令は、前記１つまたは複数のプロセッサによって実行されると、ユーザ機器に以下のように実行させ、
マルチビーム構成内の複数の検出されたビームのうちの１つのビームｍの個々のダウンリンク（ＤＬ）パス損失ＰＬｃ,ｍを取得し、ここで、
【数１９】
2020519187.tif 000057
およびＭは前記複数の検出されたビームの数であり、および
前記ＤＬパス損失ＰＬｃを次のように計算し、
【数２０】
2020519187.tif 000058
ここで、ＰＬｃ,Rは基準パス損失であり、
【数２１】
2020519187.tif 000059
ここで、βは上位層により構成されたビーム間の相関係数であり、かつ
【数２２】
2020519187.tif 000060
であることを特徴とする請求項１３に記載の物理アップリンク共有チャネル（ＰＵＳＣＨ）送信電力を決定するためのユーザ機器（ＵＥ）。
【請求項１９】
前記命令は、前記１つまたは複数のプロセッサによって実行されると、ユーザ機器に以下のように実行させ、
マルチビーム構成内の複数の検出されたビームのうちの１つのビームｍの個々のＤＬパス損失ＰＬｃ,ｍを取得し、ここで、
【数２３】
2020519187.tif 000061
およびＭは前記複数の検出されたビームの数であり、および
複数のパス損失の共同受信の最適化に基づいて、前記ＤＬパス損失ＰＬｃを計算することを特徴とする請求項１３に記載の物理アップリンク共有チャネル（ＰＵＳＣＨ）送信電力を決定するためのユーザ機器（ＵＥ）。
【請求項２０】
送受信機と、前記送受信機を制御するコントローラーとを備え、
前記コントローラーは、命令を保存するメモリと、１つまたは複数のプロセッサとを備え、前記命令は、前記１つまたは複数のプロセッサによって実行されると、前記コントローラーに以下の動作を実行させ、
基準信号を含む信号をユーザ機器（ＵＥ）に送信し、および
以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ,c(i, j)を決定するためのパラメータを前記ユーザ機器にシグナリングし、
【数２４】
2020519187.tif 000062
ここで、ＰＣＭＡＸ,ｃ(ｉ)は、前記ＰＵＳＣＨ送信周期iの前記サービングセルcのために構成されたＵＥ送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃダウンリンクパス損失であり、ΔＴＦ, ｃ(ｉ)は異なるタイプのトラフィックのＵＥ固有のパラメータであり、およびf(i)は前記ＰＵＳＣＨ送信周期iのＰＵＳＣＨ電力制御調整状態であることを特徴とする通信システムにおける、物理アップリンク共有チャネル（ＰＵＳＣＨ）送信電力的の決定を容易にするための基地局。
【発明の詳細な説明】
【技術分野】
【０００１】
関連出願の相互参照
本出願は、２０１７年５月５日に米国特許商標庁に提出された仮出願番号６２/５０２，４２４であり、発明名称が「マルチビーム構成のための電力制御フレームワーク」との米国特許出願を基礎とする優先権を主張し、その開示の総てをここに取り込む。
【０００２】
本発明は、一般に、送信電力制御に関し、特に、マルチビーム構成における物理アップリンク共有チャネル（ＰＵＳＣＨ）電力制御に関する。
【背景技術】
【０００３】
アップリンク（ＵＬ）電力制御は、受信ポイントでの所望のサービス品質（Ｑｕａｌｉｔｙ ｏｆ Ｓｅｒｖｉｃｅ，ＱｏＳ）を満たすように送信電力を設定し、隣接する受信ポイントへの干渉を最小限に抑えることを目的とする。マルチビーム構成では、複数の受信ポイントが存在する場合がある。したがって、リンク適応ゲインのために、ＵＬ送信電力をターゲット受信ポイントに適応させる必要がある。ＬＴＥ（Ｌｏｎｇ Ｔｅｒｍ Ｅｖｏｌｕｔｉｏｎ）移動体通信ネットワークの送信電力制御の一般原則は、特定のサービスのターゲット信号対干渉およびノイズ比（Ｓｉｇｎａｌ ｔｏ Ｉｎｔｅｒｆｅｒｅｎｃｅ ａｎｄ Ｎｏｉｓｅ Ｒａｔｉｏ，ＳＩＮＲ）、ＵＬ送信帯域幅、サービングセルへのダウンリンク（Ｄｏｗｎｌｉｎｋ，ＤＬ）パス損失、上位層で構成されたパラメータによるフラクショナル電力制御、異なるトランスポート・フォーマット（たとえば、アップリンク制御情報（Ｕｐｌｉｎｋ Ｃｏｎｔｒｏｌ Ｉｎｆｏｒｍａｔｉｏｎ，ＵＣＩ））の調整、および閉ループ電力補正などの要因を考慮する。
【発明の概要】
【発明が解決しようとする課題】
【０００４】
５Ｇの新しい無線（Ｎｅｗ Ｒａｄｉｏ，ＮＲ）通信ネットワークは、ビーム固有の電力制御用のビーム固有の開ループパラメータと閉ループパラメータを定義することができる。５Ｇの新しい無線ネットワークの次世代ノードＢ（ｇＮＢ）は、ユーザ機器（Ｕｓｅｒ Ｅｑｕｉｐｍｅｎｔ，ＵＥ））をさまざまな波形用に構成できる場合、さまざまな波形に対してさまざまな電力ヘッドルームを取得することもできる。したがって、５Ｇ新しい無線（Ｎｅｗ Ｒａｄｉｏ，ＮＲ）通信ネットワークおけるビーム固有の電力制御の原理には、マルチビーム構成に追加の変数を含める必要がある。
【課題を解決するための手段】
【０００５】
本発明の１つの態様は、物理アップリンク共有チャネル（ＰＵＳＣＨ）送信電力を決定するための方法を提供する。前記方法はユーザ機器（ＵＥ）により実現される。前記方法では、基準信号の受信電力を測定し、基準信号の受信電力を次世代ノードＢ（ｇＮＢ）からのダウンリンク送信電力と比較することにより、ダウンリンクパス損失を計算し、前記ｇＮＢからパラメータを取得し、および以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ,c(i, j)を決定し、
【０００６】
【数１】
2020519187.tif 000003
【０００７】
ここで、ＰＣＭＡＸ,ｃ(ｉ)は、前記ＰＵＳＣＨ送信周期iの前記サービングセルcのために構成されたＵＥ送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃはダウンリンク（ＤＬ）パス損失であり、ΔＴＦ, ｃ(ｉ)は異なるタイプのトラフィックのＵＥ固有のパラメータであり、およびfｃ(ｉ)は前記ＰＵＳＣＨ送信周期iのＰＵＳＣＨ電力制御調整状態である。
【０００８】
いくつかの実施形態では、前記方法では、ｎｕｍｅｒｏｌｏｇｙ調整係数δscsを次のように計算し、
【数２】
2020519187.tif 000004
ここで、ＳＣＳconfは、前記ＰＵＳＣＨ送信のため構成されたサブキャリア間隔であり、ＳＣＳdefaultはデフォルトのサブキャリア間隔であり、および前記ｎｕｍｅｒｏｌｏｇｙ調整係数δscsを追加のパラメータとして利用して、次のように前記ＰＵＳＣＨ送信電力を決定し、
【０００９】
【数３】
2020519187.tif 000005
【００１０】
いくつかの実施形態では、前記方法では、さらに、前記ＰＵＳＣＨ送信の信頼性要件を決定し、および前記信頼性要件に基づいて前記ターゲット電力ＰＯ＿ＰＵＳＣＨ, ｃ(ｊ)内のＵＥ固有の成分ＰＯ＿ＵＥ_ＰＵＳＣＨ, ｃ(ｊ)の値を設定する。いくつかの実施形態では、前記信頼性要件は、超高信頼性低遅延通信（ＵＲＬＬＣ）と拡張移動帯域幅（ｅＭＢＢ）のうちの少なくとも１つを含む。
【００１１】
いくつかの実施形態では、前記方法では、さらに、前記ＰＵＳＣＨ送信のＵＬ多元接続（ｍｕｌｔｉｐｌｅ ａｃｃｅｓｓ）方式を決定し、および前記ＵＬ多元接続方式に基づいて、前記ターゲット電力ＰＯ＿ＰＵＳＣＨ, ｃ(ｊ)の公称成分ＰＯ＿ＮＯＭＩＮＡＬ_ＰＵＳＣＨ, ｃ(ｊ)の値を設定する。
【００１２】
いくつかの実施形態では、前記多元接続方式は、スケジュールに基づいた直交多元接続（ＳＢ−ＯＭＡ）、非直交多元接続（ＮＯＭＡ）およびグラントフリー多元接続（ＧＲＭＡ）のうちの少なくとも１つを含む。
【００１３】
いくつかの実施形態では、前記方法では、さらに、ピーク対平均電力比（ＰＡＰＲ）を測定し、測定された前記ＰＡＰＲ（すなわち、ＰＡＰＲｍｅａｓｕｒｅｄ）、および離散フーリエ変換拡散直交周波数分割多重（ＤＦＴ−Ｓ−ＯＦＤＭ）の平均ＰＡＰＲ（すなわち、Ａｖｇ. ＰＡＰＲＤＦＴ−Ｓ−ＯＦＤＭ）に基づいて、次のようにバックオフ係数ΔＢ,ｃ(ｊ)を計算し、および
【００１４】
【数４】
2020519187.tif 000006
【００１５】
前記バックオフ係数ΔＢ(j)を追加のパラメータとして利用して、前記送信電力を次のように決定する。
【００１６】
【数５】
2020519187.tif 000007
【００１７】
いくつかの実施形態では、前記方法では、さらに、マルチビーム構成内の複数の検出されたビームのうちの１つのビームｍの個々のダウンリンク（ＤＬ）パス損失ＰＬｃ,ｍを取得し、ここで、
【数６】
2020519187.tif 000008
およびＭは前記複数の検出されたビームの数であり、および前記ＤＬパス損失ＰＬｃを次のように計算し、
【数７】
2020519187.tif 000009
ここで、ＰＬｃ,Rは基準パス損失であり、
【数８】
2020519187.tif 000010
ここで、βは上位層により構成されたビーム間の相関係数であり、かつ
【数９】
2020519187.tif 000011
である。
【００１８】
いくつかの実施形態では、前記方法では、さらに、マルチビーム構成内の複数の検出されたビームのうちの１つのビームｍの個々のダウンリンク（ＤＬ）パス損失ＰＬｃ,ｍを取得し、ここで、
【数１０】
2020519187.tif 000012
およびＭは前記複数の検出されたビームの数であり、および複数のパス損失の共同受信の最適化に基づいて、前記ダウンリンク（ＤＬ）パス損失ＰＬｃを計算する。
【００１９】
いくつかの実施形態では、前記ダウンリンクパス損失ＰＬｃは、すべての個々のＤＬパス損失の最小値
【数１１】
2020519187.tif 000013
として計算される。
【００２０】
いくつかの実施形態では、前記ＤＬパス損失ＰＬｃは、すべての個々のＤＬパス損失の最大値として計算される
【数１２】
2020519187.tif 000014
【００２１】
いくつかの実施形態では、前記ＤＬパス損失ＰＬｃは、すべての個々のＤＬパス損失的重み付き組み合わせとして計算される
【数１３】
2020519187.tif 000015
【００２２】
本発明他の態様は、物理アップリンク共有チャネル（ＰＵＳＣＨ）送信電力を決定するためのユーザ機器を提供し、前記ユーザ機器は、１つまたは複数のプロセッサと、命令を保存するメモリとを備え、前記命令は、前記１つまたは複数のプロセッサによって実行されると、ユーザ機器に以下のように実行させ、基準信号の受信電力を測定し、基準信号の受信電力を次世代ノードＢ（ｇＮＢ）からのダウンリンク送信電力と比較することにより、ダウンリンクパス損失を計算し、前記ｇＮＢからパラメータを取得し、および以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ ,c(i, j)を決定する：
【００２３】
【数１４】
2020519187.tif 000016
【００２４】
ここで、ＰＣＭＡＸ,ｃ(ｉ)は、前記ＰＵＳＣＨ送信周期iの前記サービングセルcのために構成されたＵＥ送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃはダウンリンク（ＤＬ）パス損失であり、ΔＴＦ, ｃ(ｉ)は異なるタイプトラフィックのＵＥ固有のパラメータであり、およびfｃ(ｉ)は前記ＰＵＳＣＨ送信周期iのＰＵＳＣＨ電力制御調整状態である。
【００２５】
本発明の別の態様は、通信システムにおける、物理アップリンク共有チャネル（ＰＵＳＣＨ）送信電力的の決定を容易にするための基地局を提供し、前記基地局は、送受信機と、前記送受信機を制御するコントローラーとを備え、ここで、前記コントローラーは、命令を保存するメモリと、１つまたは複数のプロセッサを備え、前記命令は、前記１つまたは複数のプロセッサによって実行されると、前記コントローラーに以下の動作を実行させ、基準信号を含む信号をユーザ機器（ＵＥ）に送信し、以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ ,c(i, j) を決定するためのパラメータを前記ユーザ機器にシグナリングし、
【００２６】
【数１５】
2020519187.tif 000017
【００２７】
ここで、ＰＣＭＡＸ,ｃ(ｉ)は、前記ＰＵＳＣＨ送信周期iの前記サービングセルcのために構成されたユーザ機器（ＵＥ）送信電力であり、ＭＰＵＳＣＨ, ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃダウンリンクパス損失であり、ΔＴＦ, ｃ(ｉ)は異なるタイプのトラフィックのＵＥ固有のパラメータであり、およびf(i)は前記ＰＵＳＣＨ送信周期iのＰＵＳＣＨ電力制御調整状態である。
【００２８】
本明細書に開示されるシステム、方法、および非一時的なコンピュータ可読媒体のこれらおよび他の特徴、ならびに構造の関連要素および部品の組み合わせおよび製造の経済性の動作および機能の方法は、添付図面を参照して以下の説明および添付の特許請求の範囲を考慮するとより明らかになり、これらはすべて本明細書の一部を形成し、同様の図面符号は様々な図の対応する部分を示す。しかしながら、図面は、例示および説明のみを目的としており、本発明の制限の定義として意図されていないことを明確に理解されたい。前述の一般的な説明および以下の詳細な説明は、例示および説明のみであり、請求される本発明を限定するものではないことを理解されたい。
【図面の簡単な説明】
【００２９】
本発明の好ましい非限定的な実施形態は、添付の図面を参照することにより、より容易に理解され得る。
【図１】本発明の様々な実施形態によるマルチビーム構成におけるアップリンク（ＵＬ）電力制御のための例示的な通信システムを示す。
【図２】マルチビーム構成における例示的なＵＬ適応のブロック図を示す。
【図３】本発明の様々な実施形態による物理アップリンク共有チャネル（ＰＵＳＣＨ）送信電力を決定するための例示的な方法のフローチャートを示す。
【図４】本発明の様々な実施形態による調整係数を利用してＰＵＳＣＨ送信電力を決定するための例示的な方法のフローチャートを示す。
【図５】本発明の様々な実施形態によるＰＵＳＣＨ送信電力のユーザ機器（ＵＥ）固有の成分の値を設定するための例示的な方法のフローチャートを示す。
【図６】本発明の様々な実施形態によるＰＵＳＣＨ送信電力の公称成分の値のための例示的な方法のフローチャートを示す。
【図７】本発明の様々な実施形態によるバックオフ係数を利用してＰＵＳＣＨ送信電力を決定するための例示的な方法のフローチャートを示す。
【図８】本発明の様々な実施形態によるダウンリンク（ＤＬ）パス損失を計算するための例示的な方法のフローチャートを示す。
【図９】本発明の様々な実施形態によるダウンリンク（ＤＬ）パス損失を計算するための別の例示的な方法のフローチャートを示す。
【図１０】本明細書で説明される実施形態のいずれかが実施され得る例示的なシステムのブロック図を示す。
【発明を実施するための形態】
【００３０】
次に、本発明の特定の非限定的な実施形態を図面を参照して説明する。本明細書で開示される任意の実施形態の特定の特徴および態様は、本明細書で開示される任意の他の実施形態の特定の特徴および態様と使用および／または組み合わせられ得ることを理解されたい。また、そのような実施形態は例としてのものであり、本発明の範囲内の少数の実施形態の単なる例示であることも理解されたい。本発明が関係する当業者に明らかな様々な変更および修正は、添付の特許請求の範囲でさらに定義される本発明の精神、範囲および意図の範囲内であるとみなされる。
【００３１】
図１は、様々な実施形態によるマルチビーム構成におけるアップリンク（ＵＬ）電力制御のための例示的な通信システム１００を示す。例示的な通信システム１００は、基地局１０２と、ユーザ機器１０４Ａ、１０４Ｂ（一括的にかつ個別に１０４とも呼ばれる）を含み得る。図１には、１つの基地局１０２と２つのユーザ機器１０４Ａ、１０４Ｂのみが示されているが、これは単に参照を容易にするためのものであり、限定することを意図したものではない。通信システム１００は、複数の基地局１０２および／または３つ以上のユーザ機器１０４を有する。通信システム１００は、複数の基地局１０２、および／または３つ以上のユーザ機器１０４を有してもよい。図１に示すように、アップリンク（ＵＬ）通信１１６Ａ、１１６Ｂ、およびダウンリンク（ＤＬ）通信１１８Ａ、１１８Ｂ（一括的に個別にそれぞれ１１６、１１８とも呼ばれる）は、基地局１０２とユーザ機器１０４Ａ、１０４Ｂとの間で発生する。
【００３２】
いくつかの実施形態では、基地局１０２は、次世代ノードＢ（ｇＮＢ）と呼ばれる、５Ｇの新しい無線ネットワークをサポートする５Ｇの次世代基地局である。他の実施形態では、基地局は、ロングタームエボリューション（ＬＴＥ）移動通信ネットワークをサポートするＥ−ＵＴＲＡＮＮｏｄｅＢ（ｅＮＢ）、３Ｇユニバーサル移動通信システム（Ｕｎｉｖｅｒｓａｌ Ｍｏｂｉｌｅ Ｔｅｌｅｃｏｍｍｕｎｉｃａｔｉｏｎｓ Ｓｙｓｔｅｍ，ＵＭＴＳ）移動通信ネットワークのＮｏｄｅＢ、または２ＧのＧＳＭ（登録商標）（Ｇｌｏｂａｌ Ｓｙｓｔｅｍ ｆｏｒ Ｍｏｂｉｌｅ Ｃｏｍｍｕｎｉｃａｔｉｏｎｓ）ネットワークｎｏ基地トランシーバ局（Ｂａｓｅ Ｔｒａｎｓｃｅｉｖｅｒ Ｓｔａｔｉｏｎ，ＢＴＳ）であり得る。したがって、ユーザ機器１０４は、モバイルブロードバンドアダプタを備えた携帯電話、スマートフォン、ラップトップコンピュータまたはタブレットなどのユーザデバイス、または上記のネットワークの１つを介した通信をサポートする他のデバイスであり得る。例えば、ユーザ機器１０４は、５Ｇの新しい無線ネットワークを介した通信をサポートする携帯電話であってもよい。
【００３３】
いくつかの実施形態では、基地局１０２は、送受信機と、ＵＬおよびＤＬ通信１１６、１１８を介してユーザ機器１０４との間で通信信号を送受信するように送受信機を制御するコントローラとを含み得る。いくつかの実施形態では、基地局１０２およびユーザ機器１０４は、１つまたは複数のプロセッサおよびメモリ（たとえば、永久メモリ、一時メモリ）を含み得る。前記（１つまたは複数の）プロセッサは、メモリに格納された機械可読命令を解釈することにより、さまざまな操作を実行するように構成できる。基地局１０２およびユーザ機器１０４は、他のコンピューティングリソースを含むことができ、および／または他のコンピューティングリソースへのアクセス（例えば、１つまたは複数の接続／ネットワークを介した）を有することができる。
【００３４】
いくつかの実施形態では、基地局１０２は、ユーザ機器１０４が物理アップリンク共有チャネル（ＰＵＳＣＨ）送信電力を決定することを容易にするように構成され得る。基地局１０２は、基準信号を含む信号をユーザ機器１０４に送信し、ユーザ機器１０４は、当該基準信号を利用して基準信号の受信電力を測定し、基準信号の受信電力に基づいてダウンリンク（ＤＬ）パス損失を計算する。さらに、基地局１０２は、ＰＵＳＣＨ電力を決定するためのパラメータをユーザ機器１０４にシグナリングしてもよい。例えば、基地局１０２は、以下で詳細に説明される式に従ってＰＵＳＣＨ電力を決定するためのパラメータをユーザ機器１０４にブロードキャストすることができる。
【００３５】
図１に示されるように、ユーザ機器１０４Ａ、電力制御モジュール１１２Ａを含み、ユーザ機器１０４Ｂは、電力制御モジュール１１２Ｂ（１１２Ａ、１１２Ｂは一括的にかつ個別に１１２とも呼ばれる）を含む。電力制御モジュール１１２Ａ、１１２Ｂは、マルチビーム構成においてアップリンク（ＵＬ）電力制御を実行するように構成され得る。たとえば、は、特定のリンクの部分パス損失を補償するようにＵＬ送信電力を設定して、ターゲット号対干渉およびノイズ比（ＳＩＮＲ）を達成し、隣接する受信ポイントへの干渉を最小限に抑えることができる。電力制御モジュール１１２は、複数の要因またはパラメータ、例えば、ＵＬ送信帯域幅、特定のサービスのターゲットＳＩＮＲ、サービングセルへのダウンリンク（ＤＬ）パス損失、上位層で構成されたパラメータによるフラクショナル電力制御に基づいて、異なるトランスポート・フォーマット（たとえば、ＵＣＩなど）の調整、および閉ループ電力補正など）のため、ＵＬ送信電力を決定してもよい。
【００３６】
いくつかの実施形態では、電力制御モジュール１１２は、基準信号の受信電力を測定し、当該基準信号の受信電力に基づいてダウンリンク（ＤＬ）パス損失を計算する。また、電力制御モジュール１１２は、基地局１０２からパラメータを取得することができる。電力制御モジュール１１２は、以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ,c(i, j) を決定する：
【００３７】
【数１６】
2020519187.tif 000018
【００３８】
ここで、ＰＣＭＡＸ,ｃ(ｉ)は、前記ＰＵＳＣＨ送信周期iの前記サービングセルcのために構成されたユーザ機器（ＵＥ）送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃダウンリンクパス損失であり、ΔＴＦ, ｃ(ｉ)は異なるタイプのトラフィックのＵＥ固有のパラメータであり、およびf(i)は前記ＰＵＳＣＨ送信周期iのＰＵＳＣＨ電力制御調整状態である。
【００３９】
いくつかの実施形態では、電力制御モジュール１１２は、ＰＵＳＣＨ送信電力を決定するための別のパラメータとしてｎｕｍｅｒｏｌｏｇｙ調整係数を計算するように構成され得る。他の実施形態では、基地局１０２は、ｎｕｍｅｒｏｌｏｇｙ調整係数を決定し、それをユーザ機器１０４にシグナリング（例えば、ブロードキャスト）する。通信システム１００は、周波数分割多重または時分割多重化（FDＭまたはTDＭ）において、異なるｎｕｍｅｒｏｌｏｇｙおよび混合ｎｕｍｅｒｏｌｏｇｙの操作をサポートする。１つの物理リソースブロック（Ｐｈｙｓｉｃａｌ Ｒｅｓｏｕｒｃｅ Ｂｌｏｃｋ，ＰＲＢ）は、システム１００がどのｎｕｍｅｒｏｌｏｇｙを使用するかに関係なく、周波数で１２のリソース要素（Ｒｅｓｏｕｒｃｅ Ｅｌｅｍｅｎｔ，ＲＥ）を含む。デフォルトのサブキャリア間隔とは異なるサブキャリア間隔でＵＬ送信が構成されている場合、ＰＵＳＣＨリソースの帯域幅は、サブキャリア間隔の増減に比例して増減する。したがって、異なるｎｕｍｅｒｏｌｏｇｙを反映する調整係数を使用して、ＰＵＳＣＨ送信電力を調整することができる。たとえば、サブキャリア間隔がデフォルトのサブキャリア間隔と異なる場合、ｎｕｍｅｒｏｌｏｇy調整係数はゼロ以外の値になるように計算されます。具体的には、さまざまなｎｕｍｅｒｏｌｏｇｙのｎｕｍｅｒｏｌｏｇｙ調整係数は、次のように定義できる：
【００４０】
【数１７】
2020519187.tif 000019
【００４１】
ここで、δscsはｎｕｍｅｒｏｌｏｇｙ調整係数を示し、ＳＣＳconfはＰＵＳＣＨ送信のために構成さたサブキャリア間隔である。およびＳＣＳdefaultは初期アクセスでの物理ランダムアクセスチャネル（Ｐｈｙｓｉｃａｌ Ｒａｎｄｏｍ Ａｃｃｅｓｓ Ｃｈａｎｎｅｌ，ＰＲＡＣＨ）のデフォルトのサブキャリア間隔である。
【００４２】
電力制御モジュール１１２は、ｎｕｍｅｒｏｌｏｇｙ調整係数δscsを追加のパラメータとして利用して、次のようにＰＵＳＣＨ送信電力を決定することができる：
【００４３】
【数１８】
2020519187.tif 000020
【００４４】
いくつかの実施形態では、電力制御モジュール１１２は、ＰＵＳＣＨ送信の信頼性要件を決定し、信頼性要件に基づいて送信電力の対応する成分を設定するように構成され得る。他の実施形態では、基地局１０２は、ＰＵＳＣＨ送信の信頼性要件を決定し、ＰＵＳＣＨ送信電力を決定するための信頼性要件を記述する情報をユーザ機器１０４にシグナリング（例えば、ブロードキャスト）することができる。通信システム１００は、例えば、超高信頼性低遅延通信（ＵＲＬＬＣ）、拡張移動帯域幅（ｅＭＢＢ）など、異なる信頼性要件を備えたサービスをサポートすることができる。したがって、ターゲットＳＩＮＲは、異なる信頼性要件を備えるサービスに対して異なるように設定され得る。送信電力の１つの要素−ターゲット電力ＰＯ＿ＰＵＳＣＨ,ｃ(ｊ) は、ターゲットＳＩＮＲに基づいて設定され、セル固有の公称成分ＰＯ＿ＮＯＭＩＮＡＬ_ＰＵＳＣＨ,ｃ(ｊ)およびＵＥ固有の成分ＰＯ＿ＵＥ_ＰＵＳＣＨ,ｃ(ｊ)を含む。セル公称成分ＰＯ＿ＮＯＭＩＮＡＬ_ＰＵＳＣＨ,ｃ(ｊ) は、セル固有の動作の電力設定、たとえばランダムアクセスチャネル（Ｒａｎｄｏｍ Ａｃｃｅｓｓ Ｃｈａｎｎｅｌ，ＲＡＣＨ）Ｍｓｇ３電力に指定される。ＵＥ固有の成分ＰＯ＿ＵＥ_ＰＵＳＣＨ,ｃ(ｊ) は、ＵＥ固有の動作、たとえば半永続的スケジュール（Ｓｅｍｉ−Ｐｅｒｓｉｓｔｅｎｔ Ｓｃｈｅｄｕｌｅｄ，ＳＰＳ）再送信に基づいて、異なるターゲットＳＩＮＲを反映するために使用される。したがって、ＵＥ固有の成分ＰＯ＿ＵＥ_ＰＵＳＣＨ,ｃ(ｊ)は、異なる値に設定されて、異なる信頼性要件、例えばＵＲＬＬＣ、ｅＭＢＢを伴うサービスをサポートすることができる。
【００４５】
いくつかの実施形態では、電力制御モジュール１１２は、ＰＵＳＣＨ送信のＵＬ多元接続方式を決定し、決定されたＵＬ多元接続方式に基づいてＰＵＳＣＨ送信電力の対応する成分を設定するように構成され得る。他の実施形態では、基地局１０２は、ＰＵＳＣＨ送信のＵＬ多元接続方式を決定し、決定されたＵＬ多元接続方式をユーザ機器１０４にシグナリング（例えば、ブロードキャスト）することができる。通信システム１００は、異なるＵＬ多元接続方式（たとえば、スケジュールに基づいた直交多元接続（ＳＢ−ＯＭＡ）、非直交多元接続（ＮＯＭＡ）、グラントフリー多元接続（ＧＲＭＡ）など）をサポートすることができる。異なる多元接続方式の干渉レベルは異なる。したがって、ターゲット電力ＰＯ＿ＰＵＳＣＨ,ｃ(ｊ) 設定は、ターゲットＳＩＮＲを満たすために、各多元接続方式の干渉レベルに適合させることができる。多元接続方式はセル固有の動作であるため、ターゲット電力ＰＯ＿ＰＵＳＣＨ,ｃ(ｊ)のセル固有の公称成分ＰＯ＿ＮＯＭＩＮＡＬ_ＰＵＳＣＨ,ｃ(ｊ)を異なる値に設定して、異なる多元接続方式の異なる干渉レベルに適合させる。
【００４６】
いくつかの実施形態では、電力制御モジュール１１２は、ピーク対平均電力比（ＰＡＰＲ）を測定し、測定されたＰＡＰＲに基づいてバックオフ係数を計算するように構成され得る。バックオフ係数は、ＰＵＳＣＨ送信電力を決定するためにさらに使用できる。他の実施形態では、基地局１０２は、ＰＡＰＲを決定し、それをユーザ機器１０４にシグナリング（例えば、ブロードキャスト）することができる。通信システム１００は、サイクリックプレフィックス直交周波数分割多重（Ｃｙｃｌｉｃ Ｐｒｅｆｉｘ−Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＣＰ−ＯＦＤＭ）および離散フーリエ変換拡散直交周波数分割多重（Ｄｉｓｃｒｅｔｅ Ｆｏｕｒｉｅｒ Ｔｒａｎｓｆｏｒｍ−ｓｐｒｅａｄ−Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＤＦＴ−Ｓ−ＯＦＤＭ）ベースの波形をサポートする。通信システム１００は、少なくとも、最大４０ＧＨｚのｅＭＢＢアップリンクの場合、両方をサポートする。最大４０ＧＨｚのｅＭＢＢアップリンクで少なくとも両方をサポートします。ＣＰ−ＯＦＤＭおよびＤＦＴ−Ｓ−ＯＦＤＭベースの波形は、異なるPＡPR値を持つ場合がある。高いＰＡＰＲを使用したＣＰ−ＯＦＤＭ波形の最大電力は、信号歪みなしで両方の波形に対してＵＥリニアアンプ（Ｌｉｎｅａｒ Ａｍｐｌｉｆｉｅｒ，ＬＮＡ）を操作する要因により、バックオフする場合がある。たとえば、バックオフ係数ΔＢ,ｃ(ｊ)は、測定されたＰＡＰＲ（すなわち、ＰＡＰＲｍｅａｓｕｒｅｄ）およびＤＦＴ−Ｓ−ＯＦＤＭの平均ＰＡＰＲ（すなわち、Ａｖｇ.ＰＡＰＲＤＦＴ−Ｓ−ＯＦＤＭ）の差異に基づいて決定される。具体的には、バックオフ係数ΔＢ,ｃ(ｊ) は次のように計算できる：
【００４７】
【数１９】
2020519187.tif 000021
【００４８】
バックオフ係数ΔＢ,ｃ(ｊ)を追加のパラメータとして利用して以下のようにＰＵＳＣＨ送信電力を決定する：
【００４９】
【数２０】
2020519187.tif 000022
【００５０】
いくつかの実施形態では、電力制御モジュール１１２は、マルチビーム構成で複数の検出されたビームの中で各ビームの個々のＤＬパス損失を取得するように構成され得る。次に、式（１）のＤＬパス損失ＰＬｃ関数を適宜決定できる。他の実施形態では、基地局１０２は、個々のＤＬパス損失を取得し、それをユーザ機器１０４にシグナリング（例えば、ブロードキャスト）することができる。マルチビーム構成では、ユーザ機器１０４は、検出閾値を超える１つ以上のＤＬビームを検出することができる。アイドルモード（ＩＤＬＥ）では、ユーザ機器１０４は、初期アクセスのためにＤＬビームを選択してもよい。接続モード（ＣＯＮＮＥＣＴＥＤ）では、ユーザ機器１０４は、ＤＬデータサービスの最良のチャネル品質で複数の検出されたビームの１つに動的に適応する場合がある。同様に、ユーザ機器１０４は、図２に示されるように、ＤＬまたはＵＬビーム対応を有するＰＵＳＣＨ送信のために選択されたＤＬビームと動的に関連付けられてもよい。図２は、マルチビーム構成における例示的なＵＬ適合２００のブロック図を示している。ビーム固有の電力制御のために、通信システム１００は、ビーム固有の開ループパラメータおよび閉ループパラメータを定義してもよい。電力制御モジュール１１２は、マルチビーム構成でＰＵＳＣＨ送信電力を決定する際にＵＬ適応を考慮してもよい。
【００５１】
いくつかの実施形態では、ＤＬパス損失関数「ＰＬ」＿ｃは、「ＰＬ」＿（ｃ、ｍ）として示される複数の測定された個々のＤＬパス損失に関連付けられ得る。個々のパス損失ＰＬｃ,ｍは、サービングセルcのＭ個の検出されたビームのビームｍから測定できます。ここで、ｍ∈{１,２、……、Ｍ}であり、およびＭは、複数の検出されたビームの数である。閉ループ電力補正係数f_c（i）が累積されない場合、ＤＬパス損失関数ＰＬｃは、個々パス損失ＰＬｃ,ｍに設定される。閉ループ電力補正係数f_c（i）が以前のものから累積される場合、閉ループ電力制御は、リンク品質適応のために単一の無線チャネルを適応させるために動作する場合がある。そのため、ＤＬリンク損失関数ＰＬｃは、参照リンクとして選択されたビームの単一のパス損失に従うように設定できる。任意のＤＬビームｍのＵＬ動的リンク適応のＤＬパス損失関数ＰＬｃは、基準パス損失および基準リンクのパス損失と比較したビームｍのパス損失の追加のパス損失偏差に基づいて計算され得る。たとえば、ＤＬパス損失ＰＬｃは次のように計算できる：
【００５２】
【数２１】
2020519187.tif 000023
【００５３】
ここで、ＰＬｃ,Rは基準パス損失であり、
【数２２】
2020519187.tif 000024
ここで、βは上位層により構成されたビーム間の相関係数であり、かつ
【数２３】
2020519187.tif 000025
である。
いくつかの実施形態では、ＤＬまたはＵＬビームの対応がほとんどまたは全くない状態で複数のビームが構成される場合、各ビームは各ＴＲＰから送信される。図２に示されるように、ＵＬ送信は、複数の受信ポイントまたはビームで受信され得る。ＤＬパス損失関数ＰＬｃは、複数の測定された個々のＤＬパス損失{ＰＬｃ,１，ＰＬｃ,２，……,ＰＬｃ,Ｍ，}の共同受信の最適化として定義することができる。協調セット内の複数の受信ポイントまたはビームを共同受信するための電力制御は、ターゲットＳＩＮＲを達成し、協調セット内にない隣接ビームへの干渉を最小限に抑える。したがって、ＤＬパス損失関数ＰＬｃの最適化は、次のように定義できる：
【００５４】
【数２４】
2020519187.tif 000026
【００５５】
ここで、パス損失補償は、すべての個々のＤＬパス損失測定の最小値に基づいている。共同受信のこの最適化は、少なくとも１つの受信ポイントまたはビームを確保してパス損失補償に必要な電力を達成し、協調セットにない他の受信ポイントまたはビームへの干渉を最小限に抑えるためである。他の受信ポイントまたはビームで受信した信号は、最大比合成（Ｍａｘｉｍｕｍ Ｒａｔｉｏ Ｃｏｍｂｉｎｉｎｇ，ＭＲＣ ＭＲＣ）後のエンハンスメントである場合がある。
【００５６】
いくつかの実施形態では、適切な電力補償を得てターゲットＳＩＮＲを達成するために各受信ポイントまたはビームを保証するために、共同受信の別の最適化は複数の測定個別ＤＬパスパスの最大値であり得る。たとえば、共同受信の最適化は次のように計算できる：
【００５７】
【数２５】
2020519187.tif 000027
【００５８】
いくつかの実施形態では、共同受信の別の最適化は複数の測定された個々のＤＬパス損失の重み付き組み合わせであり、以下のように示される：
【００５９】
【数２６】
2020519187.tif 000028
【００６０】
ここで、重み付き係数
【数２７】
2020519187.tif 000029
は、一部の受信ポイントまたはビームへのバイアス補正、または、上位層による一部の受信ポイントまたはビームへのバイアス補正と同等である。
【００６１】
いくつかの実施形態では、電力制御モジュール１１２は、ＰＵＳＣＨ送信電力を決定するために上述の要因のいずれか１つまたはすべてを使用するように構成されてもよい。たとえば、ＰＵＳＣＨ送信電力ＰＰＵＳＣＨ,c(i, j) は次のように計算できる：
【００６２】
【数２８】
2020519187.tif 000030
【００６３】
上記のように、ΔＢ,ｃ(ｊ)は、ＰＵＳＣＨ送信周期iにおいて、インデックスjを持つパラメータセット構成を使用する、サービングセルcの動作波形（CP-OFDＭおよびＤＦＴ−Ｓ−ＯＦＤＭべーすの波形）のバックオフ係数ＰＣＭＡＸ,ｃ(ｉ)である。j=０の場合、ΔＢ,ｃ(ｊ)は、ＤＦＴ−Ｓ−ＯＦＤＭべーすの波形の測定されたＰＡＰＲのバックオフ係数である。j=１の場合、ΔＢ,ｃ(ｊ)は、構成されたＣＰ−ＯＦＤＭ波形の測定されたＰＡＰＲのバックオフ係数である。ＭＰＵＳＣＨ,ｃ(ｉ)は、ＰＵＳＣＨ送信周期iでリソースブロックの数で表されるＰＵＳＣＨリソースリソース割り当ての帯域幅である。
【００６４】
また、δscsは、周期iの構成されたＰＵＳＣＨ送信のｎｕｍｅｒｏｌｏｇｙがデフォルトのｎｕｍｅｒｏｌｏｇｙと異なる場合のｎｕｍｅｒｏｌｏｇｙ調整係数である。ターゲット電力ＰＯ＿ＰＵＳＣＨ,ｃ(ｊ)のセル固有の公称成分ＰＯ＿ＮＯＭＩＮＡＬ_ＰＵＳＣＨ,ｃ(ｊ) は、上位層によって提供されてもよい。同様に、j=０および１の場合、ターゲット電力ＰＯ＿ＰＵＳＣＨ,ｃ(ｊ)のＵＥ固有の成分ＰＯ＿ＵＥ_ＰＵＳＣＨ,ｃ(ｊ) は、上位層によって提供されてもよい。具体的には、セル固有の公称成分ＰＯ＿ＮＯＭＩＮＡＬ_ＰＵＳＣＨ,ｃ(ｊ) は次のように構成できる：j=０の場合、ＰＯ＿ＮＯＭＩＮＡＬ_ＰＵＳＣＨ,ｃ(ｊ) はSＢ-OＭＡに関連付けられたターゲットＳＩＮＲに基づいて設定できる。j=１の場合、ＰＯ＿ＮＯＭＩＮＡＬ_ＰＵＳＣＨ,ｃ(ｊ) はＧRＭＡに関連付けられたターゲットＳＩＮＲに基づいて設定できる。j=２の場合、ＰＯ＿ＮＯＭＩＮＡＬ_ＰＵＳＣＨ,ｃ(ｊ) は、ＮＯＭＡに関連付けられたターゲットＳＩＮＲに基づいて設定できる。ＵＥ固有の成分ＰＯ＿ＵＥ_ＰＵＳＣＨ,ｃ(ｊ) は、次のように構成できる：j=０の場合、ＰＯ＿ＵＥ_ＰＵＳＣＨ,ｃ(ｊ)は、ｅＭＢＢサービスの信頼性要件、および、サービス品質（ＱｏＳ）クラス識別子（ＱｏＳ Ｃｌａｓｓ Ｉｄｅｎｔｉｆｉｅｒ，ＱＣＩ）に関連付けられたターゲットＳＩＮＲに基づいて設定できる。j=１の場合、ＰＯ＿ＵＥ_ＰＵＳＣＨ,ｃ(ｊ) は、ＵＲＬＬＣサービスの信頼性要件、および、ＱＣＩインデックスに関連付けられたターゲットＳＩＮＲに基づいて設定できる。
【００６５】
また、αｃ(ｊ)は、上位層により構成されたフラクショナル電力制御のスケーリング係数である。マルチビーム構成では、ＤＬパス損失関数ＰＬｃは、動的リンクアダプテーションまたは共同受信をサポートするように、構成される。動的リンク適応の場合、ＤＬパス損失関数ＰＬｃは次のように定義できる：j=０の場合、閉ループ電力補正係数f_c（i）が累積されない場合、ＰＬｃは、検出されたビーム内のターゲットビームｍの個々のＤＬパス損失ＰＬｃ,ｍとして定義できる。j=１の場合、閉ループ電力補正係数fｃ(ｉ) が累積されると、参照リンクのおよび望みリンクのＤＬパス損失の偏差に基づいてＰＬｃを定義する。たとえば、
【数２９】
2020519187.tif 000031
であり、ここで、ＰＬｃ,Rは基準ＤＬパス損失である。
【数３０】
2020519187.tif 000032
ここで、βは上位層により構成されたビーム間の相関係数であり、かつ
【数３１】
2020519187.tif 000033
である。複数の受信ポイントまたはビームでの共同受信について、
【００６６】
【数３２】
2020519187.tif 000034
【００６７】
ここで、重み付き係数
【数３３】
2020519187.tif 000035
は、選択された受信ポイントまたはビームへのバイアス補正、または、上位層による、選択された受信ポイントまたはビームへのバイアス補正と同等である。
【００６８】
また、ΔＴＦ, ｃ(ｉ)は、異なるタイプのトラフィックのＵＥ固有のパラメータ（上位層によって提供されたＰＵＳＣＨ送信場合のＵＣＩ）である。成分fｃ(ｉ)は閉ループ電力制御のための電力補正である。たとえば、fｃ(ｉ) は次のように計算できる：
【数３４】
2020519187.tif 000036
累積が有効でない場合、
【数３５】
2020519187.tif 000037
ここで、δＰＵＳＣＨは、閉ループ電力制御によるダウンリンク制御情報（Ｄｏｗｎｌｉｎｋ Ｃｏｎｔｒｏｌ Ｉｎｆｏｒｍａｔｉｏｎ，ＤＣＩ）で示されるＵＥ固有の補正値である。ＫＰＵＳＣＨはＵＬグラントが受信されたＤＬスロットに対するシフトである。
【００６９】
図３は、本発明の様々な実施形態による物理アップリンク共有チャネル（ＰＵＳＣＨ）送信電力を決定するための例示的な方法３００のフローチャートを示す。方法３００は、例えば、図１の通信システム１００を含む様々なシステムで実施されてもよい。以下に提示される方法３００の動作は、例示を目的とするものである。実施に応じて、方法３００は、さまざまな順序でまたは並行して実行される追加の、より少ない、または代替のステップを含むことができる。方法３００は、１つまたは複数のプロセッサを含むさまざまなコンピューティングシステムまたはデバイスで実施することができる。
【００７０】
方法３００に関して、ブロック３１０で、基準信号の受信電力が測定され得る。ブロック３２０で、基準信号の受信電力に基づいてダウンリンク（ＤＬ）パス損失を計算することができる。ブロック３３０で、基地局１０２、例えば次世代ノードＢ（ｇＮＢ）からパラメータを取得することができる。ブロック３４０で、計算されたＤＬパス損失および受信されたパラメータに基づいてＰＵＳＣＨ送信電力が決定され得る。例えば、ＰＵＳＣＨ送信電力は、式（１）に基づいて決定され得る。
【００７１】
図４は、発明の様々な実施形態による調整係数を利用してＰＵＳＣＨ送信電力を決定するための例示的な方法４００のフローチャートを示している。方法４００は、例えば、図１の通信システム１００を含む様々なシステムで実施されてもよい。以下に提示される方法４００の動作は、例示を目的とするものである。実施に応じて、方法４００は、様々な順序でまたは並行して実行される追加の、より少ない、または代替のステップを含むことができる。方法４００は、１つまたは複数のプロセッサを含む様々なコンピューティングシステムまたはデバイスで実施され得る。
【００７２】
ブロック４１０で、ｎｕｍｅｒｏｌｏｇｙに基づいてｎｕｍｅｒｏｌｏｇｙ調整係数を計算することができる。たとえば、ｎｕｍｅｒｏｌｏｇｙ調整係数は、式（２）に基づいて計算できる。ブロック４２０において、ｎｕｍｅｒｏｌｏｇｙ調整係数は、ＰＵＳＣＨ送信電力を決定するための追加のパラメータとして利用され得る。例えば、ＰＵＳＣＨ送信電力は、式（３）に従って決定され得る。
【００７３】
図５は、本発明の様々な実施形態によるＰＵＳＣＨ送信電力のユーザ機器（ＵＥ）固有の成分の値を設定するための例示的な方法５００のフローチャートを示している。方法５００は、例えば、図１の通信システム１００を含む様々な環境で実施されてもよい。以下に提示される方法５００の動作は、例示を目的とするものである。実施に応じて、方法５００は、様々な順序でまたは並行して実行される追加の、より少ない、または代替のステップを含むことができる。方法５００は、１つまたは複数のプロセッサを含む様々なコンピューティングシステムまたはデバイスで実施され得る。
【００７４】
方法５００に関して、ブロック５１０で、ＰＵＳＣＨ送信の信頼性要件が決定され得る。ブロック５２０において、決定された信頼性要件に基づいて、ターゲット電力におけるＵＥ固有のコンポーネントの値が設定され得る。例えば、次のように、決定された信頼性要件に基づいて式（１）内のターゲット電力ＰＯ＿ＰＵＳＣＨ,ｃ(ｊ)のＵＥ固有の成分ＰＯ＿ＵＥ_ＰＵＳＣＨ,ｃ(ｊ)の値を設定することができる。たとえば、j=０の場合、ＰＯ＿ＵＥ_ＰＵＳＣＨ,ｃ(ｊ)は、ｅＭＢＢサービスの信頼性要件およびＱＣＩインデックスに関連付けられたターゲットＳＩＮＲに基づいて設定することができる。j=１の場合、ＰＯ＿ＵＥ_ＰＵＳＣＨ,ｃ(ｊ)は、ＵＲＬＬＣサービスの信頼性要件およびＱＣＩインデックスに関連付けられたターゲットＳＩＮＲに基づいて設定することができる。
【００７５】
図６は、本発明の様々な実施形態によるＰＵＳＣＨ送信電力の公称成分の値のための例示的な方法６００のフローチャートを示している。方法６００は、例えば、図１の通信システム１００を含む様々な環境で実施されてもよい。以下に提示される方法６００の動作は、例示を目的とするものである。実施に応じて、方法６００は、様々な順序でまたは並行して方法６００は、１つまたは複数のプロセッサを含む様々なコンピューティングシステムまたはデバイスで実施され得る。実行される追加の、より少ない、または代替のステップを含むことができる。
【００７６】
ブロック６１０において、ＰＵＳＣＨ送信のＵＬ多元接続方式を決定することができる。ブロック６２０において、ＵＬ多元接続方式に基づいてターゲット電力の公称成分の値を設定することができる。たとえば、セル固有の公称成分ＰＯ＿ＮＯＭＩＮＡＬ_ＰＵＳＣＨ,ｃ(ｊ) は、次のように構成できる：j=０の場合、ＰＯ＿ＮＯＭＩＮＡＬ_ＰＵＳＣＨ,ｃ(ｊ)は、Ｂ−ＯＭＡに関連されたターゲットＳＩＮＲ基づいて設定できる。j=１の場合、ＰＯ＿ＮＯＭＩＮＡＬ_ＰＵＳＣＨ,ｃ(ｊ)は、ＧＲＭＡに関連されたターゲットＳＩＮＲ基づいて設定できる。j=２の場合、ＰＯ＿ＮＯＭＩＮＡＬ_ＰＵＳＣＨ,ｃ(ｊ)は、ＮＯＭＡに関連されたターゲットＳＩＮＲ基づいて設定できる。
【００７７】
図７は、例示的な方法７００のフローチャートを示す。方法７００は、例えば、図１の通信システム１００を含む様々な環境で実施されてもよい。以下に提示される方法７００の動作は、例示を目的とするものである。実施に応じて、方法７００は、様々な順序でまたは並行して実行される追加の、より少ない、または代替のステップを含むことができる。方法７００は、１つまたは複数のプロセッサを含む様々なコンピューティングシステムまたはデバイスに実施されてもよい。
【００７８】
ブロック７１０において、ピーク対平均電力比（ＰＡＰＲ）を測定することができる。ブロック７２０において、測定されたＰＡＰＲおよびＤＦＴ−Ｓ−ＯＦＤＭの平均ＰＡＰＲに基づいてバックオフ係数を計算する。たとえば、式（４）でバックオフ係数ΔＢ,ｃ(ｊ)を計算する。ブロック７３０において、式（５）でバックオフ係数ΔＢ,ｃ(ｊ)を追加のパラメータとして利用して、ＰＵＳＣＨ送信電力を決定する。
【００７９】
図８は、本発明の様々な実施形態によるダウンリンク（ＤＬ）パス損失を計算するための例示的な方法８００のフローチャートを示している。方法８００は、例えば、図１の通信システム１００を含む様々な環境で実施されてもよい。以下に提示される方法８００の動作は、例示を目的とするものである。実施に応じて、方法８００は、様々な順序でまたは並行して実行される追加の、より少ない、または代替のステップを含んでもよい。方法８００は、１つまたは複数のプロセッサを含む様々なコンピューティングシステムまたはデバイスに実施され得る。
【００８０】
ブロック８１０において、マルチビーム構成内の複数の検出されたビームのうちの１つのビームの個々のパス損失を取得することができる。ブロック８２０において、基準パス損失および追加の偏差に基づいて、ＤＬパス損失ＰＬｃを計算する。たとえば、式（６）でＤＬパス損失ＰＬｃを計算する。
【００８１】
図９は、本発明の様々な実施形態によるダウンリンク（ＤＬ）パス損失を計算するための別の例示的な方法９００のフローチャートを示す。方法８００は、例えば、図１の通信システム１００を含む様々な環境で実施されてもよい。以下に提示される方法９００の動作は、例示を目的とするものである。実施に応じて、方法９００は、さまざまな順序でまたは並行して実行される追加の、より少ない、または代替のステップを含むことができる。方法９００は、１つまたは複数のプロセッサを含む様々なコンピューティングシステムまたはデバイスに実施され得る。
【００８２】
ブロック９１０において、方法８００と同様に、マルチビーム構成内の複数の検出されたビームのうちの１つのビームの個々のパス損失を取得する。ブロック９２０において、複数のビームの共同受信の最適化に基づいてＤＬパス損失ＰＬｃを計算する。たとえば、ＤＬパス損失ＰＬｃ関数は、式（７）、（８）または（９）に従って、複数の測定された個々のＤＬパス損失
【数３６】
2020519187.tif 000038
の共同受信の最適化として定義できる。
【００８３】
図１０は、本明細書で説明される実施形態のいずれかが実施され得るシステム１０００の例示のブロック図を示す。システム１０００は、様々なデバイス、例えば、ユーザ機器１０４（モバイルブロードバンドアダプタを備えた携帯電話、スマートフォン、ラップトップコンピュータまたはタブレット、または対応するネットワークを介した通信をサポートする他のデバイスなど）、または基地局１０２の一部（５Ｇの新しい無線をサポートするｇＮＢ、ＬＴＥネットワークをサポートするｅＮＢ、３Ｇ ＵＭＴS通信ネットワークのノードＢ、または２Ｇ ＧＳＭ（登録商標）ネットワークのＢＴSなど）として実装され得る。
【００８４】
システム１０００は、情報を通信するためのバス１００２、または他の通信機構、情報を処理するためにバス１００２に結合された１つまたは複数のハードウェアプロセッサ１００４を含む。（１つまたは複数の）ハードウェアプロセッサ１００４は、例えば、１つ以上の汎用マイクロプロセッサ、１つ以上の中央処理装置（Ｃｅｎｔｒａｌ Ｐｒｏｃｅｓｓｉｎｇ Ｕｎｉｔ，ＣＰＵ）などであり得る。例えば、システム１０００は、携帯電話またはセンサとして実施され得、プロセッサ（１つまたは複数）１００４は、携帯電話またはセンサの様々な機能を制御するように構成され得る。
【００８５】
システム１０００はバス１００２に結合されたメインメモリ１００６（ランダムアクセスメモリ（Ｒａｎｄｏｍ Ａｃｃｅｓｓ Ｍｅｍｏｒｙ，ＲＡＭ）、キャッシュおよび／または他の動的記憶装置）も含む。メインメモリ１００６は、（１つまたは複数の）プロセッサ１００４によって実行される情報および命令を格納するためにも使用され得る。メインメモリ１００６は、また、（１つまたは複数の）プロセッサ１００４によって実行される命令の実行中の一時変数または他の中間情報を格納するためにも使用され得る。そのような命令は、（１つまたは複数の）プロセッサ１００４にアクセス可能な記憶媒体に格納されると、システム１０００は、命令で指定された操作を実行するためにカスタマイズされた特殊用途のマシンになる。システム１０００は、（１つまたは複数の）プロセッサ１００４に対する静的情報および命令を記憶するために、バス１００２に結合された読み取り専用リ（Ｒｅａｄ Ｏｎｌｙ Ｍｅｍｏｒｙ，ＲＯＭ）１００８または他の静的記憶装置をさらに含む。磁気ディスク、光ディスク、または、ＵＳＢサムドライブ（フラッシュドライブ）などの記憶装置１０１０が提供され、情報と命令を保存するためにバス１００２に結合される。
【００８６】
システム１０００は、カスタマイズされたハードワイヤードロジック、１つ以上のＡＳＩＣまたはＦＰＧＡ、ファームウェアおよび／またはプログラムロジックを使用して、本明細書に記載の技術を実施することができる。前記ハードワイヤードロジック、１つ以上のＡＳＩＣまたはＦＰＧＡ、ファームウェアおよび／またはプログラムロジックがコンピュータシステムと組み合わせて、システム１０００を特別な機器、または、特別な機器にするように、システム１０００をプログラムロジックする。一実施形態によれば、本明細書の技法は、メインメモリ１００６に含まれる１つ以上の命令の１つ以上のシーケンスを実行するプロセッサ１００４に応答してシステム１０００によって実行される。これらの命令は、他の記憶媒体（たとえば記憶装置１００８）からメインメモリ１００６に書き込むことができる。メインメモリ１００６に含まれる命令シーケンスの実行により、プロセッサ１００４は、本明細書で説明されるプロセスステップを実行する。代替実施形態では、ソフトウェア命令の代わりに、またはそれと組み合わせて、ハードワイヤード回路を使用することができる。
【００８７】
メインメモリ１００６、ＲＯＭ１００８、および／またはストレージ１０１０は、非一時的なコンピュータ可読記憶媒体を含むことができる。本明細書で使用される用語「非一時的メディア」および類似の用語は、マシンを特定の方法で動作させるデータおよび/または命令を格納する任意のメディアを指す。そのような非一時的な媒体は、不揮発性媒体および/または揮発性媒体を含むことができる。不揮発性媒体には、例えば、記憶装置１０１０などの光学または磁気ディスクが含まれる。揮発性媒体には、メインメモリ１００６などの動的メモリが含まれる。不揮発性媒体の一般的に、例えばフロッピーディスク、フレキシブルディスクが含まれるディスク、ハードディスク、ソリッドステートドライブ、磁気テープ、その他の磁気データ記憶媒体、ＣＤ−ＲＯＭ、その他の光学データ記憶媒体、穴のパターンを持つ物理媒体、ＲＡＭ、ＰＲＯＭ、ＥＰＲＯＭ、 ＦＬＡＳＨ−ＥＰＲＯＭ、ＮＶＲＡＭ、その他のメモリチップまたはカートリッジ、およびそれらのネットワークバージョンなどが含まれる。
【００８８】
コンピュータ可読媒体は、永続的で揮発性のモバイルおよび不動のメディアを含むことができ、これらは任意の方法または技術を介して情報ストレージを実施できる。情報は、コンピュータで読み取り可能な命令、データ構造、プログラムモジュール、またはその他のデータである。コンピュータの記憶媒体の例には、相変化ＲＡＭ（ＰＲＡＭ）、静的ＲＡＭ（ＳＲＡＭ）、動的ＲＡＭ（ＤＲＡＭ）、その他の種類のランダムアクセスメモリ（ＲＡＭ）、読み取り専用メモリ（ＲＯＭ）が含まれるが、これらに限定されない）、電気的に消去可能なプログラム可能な読み取り専用メモリ（ＥＥＰＲＯＭ）、フラッシュメモリまたはその他のメモリテクノロジー、コンパクトディスク読み取り専用メモリ（ＣＤ−ＲＯＭ）、デジタルバーサタイルディスク（ＤＶＤ）またはその他の光学メモリ、カセット、カセットおよびディスクメモリ、または計算デバイスがアクセス可能な情報を保存するために使用できる、他の磁気メモリデバイスまたはその他の非伝送媒体などが含まれるが、それらに限定しない。したがって、コンピュータ可読媒体は、変調されたデータ信号やキャリアなどの一時的な媒体を除外する場合がある。
【００８９】
システム１０００は、バス１００２に結合された通信インターフェース１０１８も含む。通信インターフェース１０１８は、１つ以上のローカルネットワークに接続された１つ以上のネットワークリンクに結合する双方向データ通信を提供する。例えば、通信インターフェース１０１８は、サービス統合デジタルネットワーク（Ｉｎｔｅｇｒａｔｅｄ Ｓｅｒｖｉｃｅｓ Ｄｉｇｉｔａｌ Ｎｅｔｗｏｒｋ，ＩＳＤＮ）カード、衛星チップ、または対応するタイプの電話回線へのデータ通信接続を提供するモデムであり得る。通信インターフェース１０１８は、無線通信リンク（例えば、５Ｇ、ＬＴＥ、３Ｇ、２Ｇ、ラジオ、インターネットなど）を実施してもよい。そのような実施では、通信インターフェース１０１８は、さまざまな種類の情報を表すデジタルデータストリームを運ぶ電気信号、電磁信号、または光信号を送受信する。
【００９０】
システム１０００は、Ｉ／Ｏインターフェース１０１２（例えば、キーボード、タッチスクリーン、液晶ディスプレイ、スピーカー、マイクなど）をさらに含むことができる。Ｉ／Ｏインターフェース１０１２は、外部環境からキャプチャされたデータを入力し、および／またはシステム１０００からデータを出力することができる。システム１０００は、ネットワーク、ネットワークリンク、Ｉ／Ｏ、インターフェース１０１２、および通信インターフェース１０１８を介して、プログラムコードを含むメッセージを送信し、データを受信することができる。インターネットの例では、サーバーは、インターネット、ＩＳＰ、ローカルネットワーク、および通信インターフェース１０１８を介して、アプリケーションプログラムの要求されたコードを送信し得る。受信したコードは、（１つまたは複数の）プロセッサ１００４がこれらのコードを受信すると実行するが、および／または、後で実行するため、これらのコードを記憶装置１０１０および／または他の不揮発性記憶装置に記憶させる。
【００９１】
システム１０００は、電源ユニット１０１４をさらに含むことができる。電源ユニット１０１４は、電源回路１０１４１と、システム１０００の１つ以上の構成要素に電力を供給するように構成される１つ以上の電池１０１４２（例えば、リチウムイオン電池）を含むことができる。電力回路１０１４１は、システム１０００の１つまたは複数の電池１０１４２および電力制御モジュール１１２に結合することができる。当業者であれば、システム１０００電池１０１４２からの電力の供給は、電力回路１０１４１によって調整できることを理解するであろう。電力回路１０１４１は、（１つまたは複数の）プロセッサ１００４および／または電力制御モジュール１１２を介して制御され得る。例えば、システム１０００が事前に設定された時間を超えて動作しない場合、電力をほとんどまたはまったく消費しないように、１つ以上のプロセッサ１００４は、電力供給を制限し、システム１０００をアイドルモードに設定し得る。システム１０００を再度動作させると、システム１０００を通常のレートで消費電力にアクティブモードに設定でき。別の例では、電力制御モジュール１１２は、ＰＵＳＣＨ送信電力を決定し、決定されたＰＵＳＣＨ送信電力に基づいて信号を送信するように電力ユニット１０１４を制御し得る。
【００９２】
個々のユニットとして示されているが、システム１０００の様々なコンポーネントは、システム１０００の他のコンポーネントに統合されてもよい。例えば、（１つまたは複数の）プロセッサ１００４またはその一部は、メインメモリ１００６およびＲＯＭ１００８を備えてもよい。また、通信インターフェース１０１８は、アンテナおよび電圧整流器などを備えてもよい。
【００９３】
特定の操作のパフォーマンスは、単一のマシン内に存在するだけでなく、複数のマシンに展開されるプロセッサ間で分散される。いくつかの例示的な実施形態では、プロセッサまたはプロセッサ実施エンジンは、単一の地理的位置（たとえば、家庭環境、オフィス環境、またはサーバーファーム内）に配置されてもよい。他の例示的な実施形態では、プロセッサまたはプロセッサ実施エンジンは、いくつかの地理的場所にわたって分散されてもよい。
【００９４】
前のセクションで説明したプロセス、方法、およびアルゴリズムのそれぞれは、１つまたは複数のコンピュータシステムまたはコンピュータハードウェアを含むコンピュータプロセッサによって実行されるコードモジュールで実施され、完全または部分的に自動化され得る。プロセスおよびアルゴリズムは、アプリケーション固有の回路で部分的または全体的に実装できる。
【００９５】
開示された原理の例および特徴が本明細書に記載されているが、開示された実施形態の精神および範囲から逸脱することなく、修正、適合、および他の実施が可能である。また、「含む」、「有する」、「含有」、「含まれる」などの言葉やその他の同様の形式は、意味が同等であり、これらの言葉のいずれか１つに続く項目が、そのような１つまたは複数のアイテムの完全なリストであること、またはリストされた１つまたは複数のアイテムのみに限定されることを意味することが意図されている。また、本明細書および添付の特許請求の範囲で使用される単数形「１つ」、「当該」は、文脈がそうでないことを明確に示さない限り、複数の基準を含むことに留意しなければならない。
【符号の説明】
【００９６】
104A  ユーザ機器
104B  ユーザ機器
112  電力制御モジュール
112A  電力制御モジュール
112B  電力制御モジュール
1002  バス
1004  プロセッサ
1006  メインメモリ
1008  ＲＯＭ
1010  記憶装置
1012  （１つまたは複数）Ｉ／Ｏインターフェース
1014  電源ユニット
1018  （１つまたは複数）通信インターフェース
10141  電源回路
10142  電池
【図１】
2020519187.tif 000063
【図２】
2020519187.tif 000064
【図３】
2020519187.tif 000065
【図４】
2020519187.tif 000066
【図５】
2020519187.tif 000067
【図６】
2020519187.tif 000068
【図７】
2020519187.tif 000069
【図８】
2020519187.tif 000070
【図９】
2020519187.tif 000071
【図１０】
2020519187.tif 000072
【手続補正書】
【提出日】令和1年11月8日(2019.11.8)
【手続補正１】
【補正対象書類名】明細書
【補正対象項目名】００１５
【補正方法】変更
【補正の内容】
【００１５】
前記バックオフ係数ΔＢ,c(j)を追加のパラメータとして利用して、前記送信電力を次のように決定する。
【手続補正２】
【補正対象書類名】明細書
【補正対象項目名】００２７
【補正方法】変更
【補正の内容】
【００２７】
ここで、ＰＣＭＡＸ,ｃ(ｉ)は、前記ＰＵＳＣＨ送信周期iの前記サービングセルcのために構成されたユーザ機器（ＵＥ）送信電力であり、ＭＰＵＳＣＨ, ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃダウンリンクパス損失であり、ΔＴＦ, ｃ(ｉ)は異なるタイプのトラフィックのＵＥ固有のパラメータであり、およびfc(i)は前記ＰＵＳＣＨ送信周期iのＰＵＳＣＨ電力制御調整状態である。
【手続補正３】
【補正対象書類名】明細書
【補正対象項目名】００３１
【補正方法】変更
【補正の内容】
【００３１】
図１は、様々な実施形態によるマルチビーム構成におけるアップリンク（ＵＬ）電力制御のための例示的な通信システム１００を示す。例示的な通信システム１００は、基地局１０２と、ユーザ機器１０４Ａ、１０４Ｂ（一括的にかつ個別に１０４とも呼ばれる）を含み得る。図１には、１つの基地局１０２と２つのユーザ機器１０４Ａ、１０４Ｂのみが示されているが、これは単に参照を容易にするためのものであり、限定することを意図したものではない。通信システム１００は、複数の基地局１０２および／または３つ以上のユーザ機器１０４を有する。通信システム１００は、複数の基地局１０２、および／または３つ以上のユーザ機器１０４を有してもよい。図１に示すように、アップリンク（ＵＬ）通信１０６Ａ、１０６Ｂ、およびダウンリンク（ＤＬ）通信１０８Ａ、１０８Ｂ（一括的に個別にそれぞれ１０６、１０８とも呼ばれる）は、基地局１０２とユーザ機器１０４Ａ、１０４Ｂとの間で発生する。
【手続補正４】
【補正対象書類名】明細書
【補正対象項目名】００３３
【補正方法】変更
【補正の内容】
【００３３】
いくつかの実施形態では、基地局１０２は、送受信機と、ＵＬ通信１０６およびＤＬ通信１０８を介してユーザ機器１０４との間で通信信号を送受信するように送受信機を制御するコントローラとを含み得る。いくつかの実施形態では、基地局１０２およびユーザ機器１０４は、１つまたは複数のプロセッサおよびメモリ（たとえば、永久メモリ、一時メモリ）を含み得る。前記（１つまたは複数の）プロセッサは、メモリに格納された機械可読命令を解釈することにより、さまざまな操作を実行するように構成できる。基地局１０２およびユーザ機器１０４は、他のコンピューティングリソースを含むことができ、および／または他のコンピューティングリソースへのアクセス（例えば、１つまたは複数の接続／ネットワークを介した）を有することができる。
【手続補正５】
【補正対象書類名】明細書
【補正対象項目名】００３８
【補正方法】変更
【補正の内容】
【００３８】
ここで、ＰＣＭＡＸ,ｃ(ｉ)は、前記ＰＵＳＣＨ送信周期iの前記サービングセルcのために構成されたユーザ機器（ＵＥ）送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃダウンリンクパス損失であり、ΔＴＦ, ｃ(ｉ)は異なるタイプのトラフィックのＵＥ固有のパラメータであり、およびfc(i)は前記ＰＵＳＣＨ送信周期iのＰＵＳＣＨ電力制御調整状態である。
【手続補正６】
【補正対象書類名】明細書
【補正対象項目名】００８１
【補正方法】変更
【補正の内容】
【００８１】
図９は、本発明の様々な実施形態によるダウンリンク（ＤＬ）パス損失を計算するための別の例示的な方法９００のフローチャートを示す。方法９００は、例えば、図１の通信システム１００を含む様々な環境で実施されてもよい。以下に提示される方法９００の動作は、例示を目的とするものである。実施に応じて、方法９００は、さまざまな順序でまたは並行して実行される追加の、より少ない、または代替のステップを含むことができる。方法９００は、１つまたは複数のプロセッサを含む様々なコンピューティングシステムまたはデバイスに実施され得る。
【手続補正７】
【補正対象書類名】特許請求の範囲
【補正対象項目名】全文
【補正方法】変更
【補正の内容】
【特許請求の範囲】
【請求項１】
物理アップリンク共有チャネル（ＰＵＳＣＨ）送信電力を決定するための方法であって、前記方法は、ユーザ機器（ＵＥ）によって実施可能であり、前記方法では、
基準信号の受信電力を測定し、
基準信号の受信電力を次世代ノードＢ（ｇＮＢ）からのダウンリンク送信電力と比較することにより、ダウンリンクパス損失を計算し、
前記ｇＮＢからパラメータを取得し、および
以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ,c(i, j) を決定し、
【数１】
2020519187.tif 000073
ここで、ＰＣＭＡＸ,ｃ(ｉ)は、前記ＰＵＳＣＨ送信周期iの前記サービングセルcのために構成されたＵＥ送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃはダウンリンク（ＤＬ）パス損失であり、ΔＴＦ, ｃ(ｉ)は異なるタイプのトラフィックのＵＥ固有のパラメータであり、およびfｃ(ｉ)は前記ＰＵＳＣＨ送信周期iのＰＵＳＣＨ電力制御調整状態であることを特徴とする物理アップリンク共有チャネル（ＰＵＳＣＨ）送信電力を決定するための方法。
【請求項２】
ｎｕｍｅｒｏｌｏｇｙ調整係数δscsを次のように計算し、
【数２】
2020519187.tif 000074
ここで、ＳＣＳconf は、前記ＰＵＳＣＨ送信のため構成されたサブキャリア間隔であり、ＳＣＳdefault はデフォルトのサブキャリア間隔であり、および
前記ｎｕｍｅｒｏｌｏｇｙ調整係数δscsを追加のパラメータとして利用して、次のように前記ＰＵＳＣＨ送信電力を決定することを特徴とする請求項１に記載の物理アップリンク共有チャネル（ＰＵＳＣＨ）送信電力を決定するための方法。
【数３】
2020519187.tif 000075
【請求項３】
前記ＰＵＳＣＨ送信の信頼性要件を決定し、および
前記信頼性要件に基づいて、前記ターゲット電力ＰＯ＿ＰＵＳＣＨ, ｃ(ｊ)内のＵＥ固有の成分ＰＯ＿ＵＥ_ＰＵＳＣＨ, ｃ(ｊ)の値を設定することを特徴とする請求項１に記載の物理アップリンク共有チャネル（ＰＵＳＣＨ）送信電力を決定するための方法。
【請求項４】
要件は、超高信頼性低遅延通信（ＵＲＬＬＣ）および拡張移動帯域幅（ｅＭＢＢ）のうちの少なくとも１つを含むことを特徴とする請求項３に記載の物理アップリンク共有チャネル（ＰＵＳＣＨ）送信電力を決定するための方法。
【請求項５】
前記ＰＵＳＣＨ送信のＵＬ多元接続方式を決定し、および
前記ＵＬ多元接続方式に基づいて、前記ターゲット電力ＰＯ＿ＰＵＳＣＨ, ｃ(ｊ)の前記公称成分ＰＯ＿ＮＯＭＩＮＡＬ_ＰＵＳＣＨ, ｃ(ｊ)の値を設定することを特徴とする請求項１に記載の物理アップリンク共有チャネル（ＰＵＳＣＨ）送信電力を決定するための方法。
【請求項６】
前記多元接続方式は、スケジュールに基づいた直交多元接続（ＳＢ−ＯＭＡ）、非直交多元接続（ＮＯＭＡ）およびグラントフリー多元接続（ＧＲＭＡ）のうちの少なくとも１つを含むことを特徴とする請求項５に記載の物理アップリンク共有チャネル（ＰＵＳＣＨ）送信電力を決定するための方法。
【請求項７】
ピーク対平均電力比（ＰＡＰＲ）を測定し、
測定された前記ＰＡＰＲすなわちＰＡＰＲｍｅａｓｕｒｅｄ、および離散フーリエ変換拡散直交周波数分割多重（ＤＦＴ−Ｓ−ＯＦＤＭ）の平均ＰＡＰＲ（すなわちＡｖｇ.ＰＡＰＲＤＦＴ−Ｓ−ＯＦＤＭ）に基づいて、次のようにバックオフ係数を計算し、および
【数４】
2020519187.tif 000076
前記バックオフ係数ΔＢ,c(j)を追加のパラメータとして利用して、前記送信電力を次のように決定することを特徴とする請求項１に記載の物理アップリンク共有チャネル（ＰＵＳＣＨ）送信電力を決定するための方法。
【数５】
2020519187.tif 000077
【請求項８】
マルチビーム構成内の複数の検出されたビームのうちの１つのビームｍの個々のダウンリンク（ＤＬ）パス損失ＰＬｃ,ｍを取得し、ここで、
【数６】
2020519187.tif 000078
およびＭは前記複数の検出されたビームの数であり、および
前記ＤＬパス損失ＰＬｃを次のように計算し、
【数７】
2020519187.tif 000079
ここで、ＰＬｃ,Rは基準パス損失であり、
【数８】
2020519187.tif 000080
ここで、βは上位層により構成されたビーム間の相関係数であり、かつ
【数９】
2020519187.tif 000081
であることを特徴とする請求項１に記載の物理アップリンク共有チャネル（ＰＵＳＣＨ）送信電力を決定するための方法。
【請求項９】
マルチビーム構成内の複数の検出されたビームのうちの１つのビームｍの個々のダウンリンク（ＤＬ）パス損失ＰＬｃ,ｍを取得し、ここで、
【数１０】
2020519187.tif 000082
であり、およびＭは前記複数の検出されたビームの数であり、および
複数のパス損失の共同受信の最適化に基づいて、前記ＤＬパス損失ＰＬｃを計算することを特徴とする請求項１に記載の物理アップリンク共有チャネル（ＰＵＳＣＨ）送信電力を決定するための方法。
【請求項１０】
前記ＤＬパス損失ＰＬｃは、すべての個々のＤＬパス損失の最小値
【数１１】
2020519187.tif 000083
として計算されることを特徴とする請求項９に記載の物理アップリンク共有チャネル（ＰＵＳＣＨ）送信電力を決定するための方法。
【請求項１１】
前記ＤＬパス損失ＰＬｃは、すべての個々のＤＬパス損失の最大値
【数１２】
2020519187.tif 000084
として計算されることを特徴とする請求項９に記載の物理アップリンク共有チャネル（ＰＵＳＣＨ）送信電力を決定するための方法。
【請求項１２】
前記ＤＬパス損失ＰＬｃは、すべての個々のＤＬパス損失的重み付き組み合わせ
【数１３】
2020519187.tif 000085
として計算されることを特徴とする請求項９に記載の物理アップリンク共有チャネル（ＰＵＳＣＨ）送信電力を決定するための方法。
【請求項１３】
１つまたは複数のプロセッサと、
命令を保存するメモリと、を備え、
前記命令は、前記１つまたは複数のプロセッサによって実行されると、ユーザ機器に以下のように実行させ、
基準信号の受信電力を測定し、
基準信号の受信電力を次世代ノードＢ（ｇＮＢ）からのダウンリンク送信電力と比較することにより、ダウンリンクパス損失を計算し、
前記ｇＮＢからパラメータを取得し、および
以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ,c(i, j) を決定し、
【数１４】
2020519187.tif 000086
ここで、ＰＣＭＡＸ,ｃ(ｉ)は、前記ＰＵＳＣＨ送信周期iの前記サービングセルcのために構成されたＵＥ送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃはダウンリンク（ＤＬ）パス損失であり、ΔＴＦ, ｃ(ｉ)は異なるタイプのトラフィックのＵＥ固有のパラメータであり、およびfc(i)は前記ＰＵＳＣＨ送信周期iのＰＵＳＣＨ電力制御調整状態であることを特徴とする物理アップリンク共有チャネル（ＰＵＳＣＨ）送信電力を決定するためのユーザ機器（ＵＥ）。
【請求項１４】
前記命令は、前記１つまたは複数のプロセッサによって実行されると、ユーザ機器に以下のように実行させ、
ｎｕｍｅｒｏｌｏｇｙ調整係数δscsを次のように計算し、
【数１５】
2020519187.tif 000087
ここで、ＳＣＳconf は、前記ＰＵＳＣＨ送信のため構成されたサブキャリア間隔であり、ＳＣＳdefault はデフォルトのサブキャリア間隔であり、および
前記ｎｕｍｅｒｏｌｏｇｙ調整係数δscsを追加のパラメータとして利用して、次のように前記ＰＵＳＣＨ送信電力を決定することを特徴とする請求項１３に記載の物理アップリンク共有チャネル（ＰＵＳＣＨ）送信電力を決定するためのユーザ機器（ＵＥ）。
【数１６】
2020519187.tif 000088
【請求項１５】
前記命令は、前記１つまたは複数のプロセッサによって実行されると、ユーザ機器に以下のように実行させ、
前記ＰＵＳＣＨ送信の信頼性要件を決定し、および
前記信頼性要件に基づいて、前記ターゲット電力ＰＯ＿ＰＵＳＣＨ, ｃ(ｊ)内のＵＥ固有の成分ＰＯ＿ＵＥ_ＰＵＳＣＨ, ｃ(ｊ)の値を設定することを特徴とする請求項１３に記載の物理アップリンク共有チャネル（ＰＵＳＣＨ）送信電力を決定するためのユーザ機器（ＵＥ）。
【請求項１６】
前記命令は、前記１つまたは複数のプロセッサによって実行されると、ユーザ機器に以下のように実行させ、
前記ＰＵＳＣＨ送信のＵＬ多元接続方式を決定し、および
前記ＵＬ多元接続方式に基づいて、前記ターゲット電力ＰＯ＿ＰＵＳＣＨ, ｃ(ｊ)の前記公称成分ＰＯ＿ＮＯＭＩＮＡＬ_ＰＵＳＣＨ, ｃ(ｊ)の値を設定することを特徴とする請求項１３に記載の物理アップリンク共有チャネル（ＰＵＳＣＨ）送信電力を決定するためのユーザ機器（ＵＥ）。
【請求項１７】
前記命令は、前記１つまたは複数のプロセッサによって実行されると、ユーザ機器に以下のように実行させ、
ピーク対平均電力比（ＰＡＰＲ）を測定し、
測定された前記ＰＡＰＲすなわちＰＡＰＲｍｅａｓｕｒｅｄ、および離散フーリエ変換拡散直交周波数分割多重（ＤＦＴ−Ｓ−ＯＦＤＭ）の平均ＰＡＰＲ（すなわちＡｖｇ.ＰＡＰＲＤＦＴ−Ｓ−ＯＦＤＭ）に基づいて、次のようにバックオフ係数を計算し、および
【数１７】
2020519187.tif 000089
前記バックオフ係数ΔＢ,c(j)を追加のパラメータとして利用して、前記送信電力を次のように決定することを特徴とする請求項１３に記載の物理アップリンク共有チャネル（ＰＵＳＣＨ）送信電力を決定するためのユーザ機器（ＵＥ）。
【数１８】
2020519187.tif 000090
【請求項１８】
前記命令は、前記１つまたは複数のプロセッサによって実行されると、ユーザ機器に以下のように実行させ、
マルチビーム構成内の複数の検出されたビームのうちの１つのビームｍの個々のダウンリンク（ＤＬ）パス損失ＰＬｃ,ｍを取得し、ここで、
【数１９】
2020519187.tif 000091
およびＭは前記複数の検出されたビームの数であり、および
前記ＤＬパス損失ＰＬｃを次のように計算し、
【数２０】
2020519187.tif 000092
ここで、ＰＬｃ,Rは基準パス損失であり、
【数２１】
2020519187.tif 000093
ここで、βは上位層により構成されたビーム間の相関係数であり、かつ
【数２２】
2020519187.tif 000094
であることを特徴とする請求項１３に記載の物理アップリンク共有チャネル（ＰＵＳＣＨ）送信電力を決定するためのユーザ機器（ＵＥ）。
【請求項１９】
前記命令は、前記１つまたは複数のプロセッサによって実行されると、ユーザ機器に以下のように実行させ、
マルチビーム構成内の複数の検出されたビームのうちの１つのビームｍの個々のＤＬパス損失ＰＬｃ,ｍを取得し、ここで、
【数２３】
2020519187.tif 000095
およびＭは前記複数の検出されたビームの数であり、および
複数のパス損失の共同受信の最適化に基づいて、前記ＤＬパス損失ＰＬｃを計算することを特徴とする請求項１３に記載の物理アップリンク共有チャネル（ＰＵＳＣＨ）送信電力を決定するためのユーザ機器（ＵＥ）。
【請求項２０】
送受信機と、前記送受信機を制御するコントローラーとを備え、
前記コントローラーは、命令を保存するメモリと、１つまたは複数のプロセッサとを備え、前記命令は、前記１つまたは複数のプロセッサによって実行されると、前記コントローラーに以下の動作を実行させ、
基準信号を含む信号をユーザ機器（ＵＥ）に送信し、および
以下の式に基づいて、ＰＵＳＣＨ送信周期iにおいて、インデックスjを持つパラメータセット構成を使用して、サービングセルcのＰＵＳＣＨ送信のＰＵＳＣＨ送信電力ＰＰＵＳＣＨ,c(i, j)を決定するためのパラメータを前記ユーザ機器にシグナリングし、
【数２４】
2020519187.tif 000096
ここで、ＰＣＭＡＸ,ｃ(ｉ)は、前記ＰＵＳＣＨ送信周期iの前記サービングセルcのために構成されたＵＥ送信電力であり、ＭＰＵＳＣＨ,ｃ(ｉ)はＰＵＳＣＨ送信周期iのリソースブロックの数で表されるＰＵＳＣＨリソースに対して割り当てられた帯域幅であり、ＰＯ＿ＰＵＳＣＨ,ｃ(ｊ)はセル固有の公称成分ＰＯ＿ＮＯＭＩＮＡＬ_ＰＵＳＣＨ,ｃ(ｊ)とＵＥ固有の成分ＰＯ＿ＵＥ_ＰＵＳＣＨ,ｃ(ｊ)の合計のターゲット電力を含むターゲット電力であり、αｃ(ｊ)はスケーリング係数であり、ＰＬｃダウンリンクパス損失であり、ΔＴＦ, ｃ(ｉ)は異なるタイプのトラフィックのＵＥ固有のパラメータであり、およびfc(i)は前記ＰＵＳＣＨ送信周期iのＰＵＳＣＨ電力制御調整状態であることを特徴とする通信システムにおける、物理アップリンク共有チャネル（ＰＵＳＣＨ）送信電力的の決定を容易にするための基地局。
【国際調査報告】
2020519187.tif 000097
2020519187.tif 000098